(57)【特許請求の範囲】
【請求項１】
背板の下縁に肉薄部を介して額縁形の枠体を一体に形成し、該枠体を該背板の前面に重合させることにより上面が開口したカード保持部が形成されるようにしたカード差しにおいて、背板の上縁に底丸Ｖ字状の切込を設けるとともに該切込の内周縁に面取りとなる傾斜面を形成し、該傾斜面を該切込の両側の背板の上縁に亘り滑らかな曲線をなして連なるように延設し、該背板の前面にシボ加工による微細な凹凸を形成し、さらに、該背板の背面を周縁部を残して凹窪状に形成し該背板の見かけ上の厚さを厚くすることで前記底丸Ｖ字状の切込部の厚さおよび傾斜面の幅寸法が充分に確保されるようにしたことを特徴としたカード差し。
【発明の詳細な説明】
【０００１】
【発明の属する技術分野】
本発明は、運搬用容器にその収容物の名称や属性，ロット番号，バーコード等を表示するカードを着脱自在に取り付けるためのカード差しに関するものである。
【０００２】
【従来の技術】
組立工場や配送場等において使用される運搬用容器には、従来からその収容物の名称や属性，ロット番号，バーコード等が表示されたカードが取り付けられるように、容器外側面にカード差しが設けられる。
【０００３】
ところでカード差しには、例えば特許番号第２８２３５０５号に示されたもののように、従来からカードを抜き差しし易くするために指先が入り得る切欠を形成したものが知られている。しかしながら従来ではこの切欠が形成されていることにより、カードを差し込む際にカードが引っ掛かり易くカードが折れ曲がった状態で取り付けられるおそれがあった。
【０００４】
また、背板の前面にカードが密着し易いので取り出し難いという問題があった。なお、特開２０００−３３９５０の公開特許公報に記載されたカード差しでは、背板の前面に凸リブを形成することによりカードに密着を防ぐようにしているが、凸リブが形成されているとカードが波状に屈曲するおそれがありそのためにバーコード等が読み取れなくなるおそれがあった。
【０００５】
【発明が解決しようとする課題】
本発明は上記問題点を解消し、カードを容易に正しく差し込み得るようにし、また、取り出しも容易となるようにするものである。
【０００６】
【課題を解決するための手段】
そのために本発明に係るカード差しは、背板の下縁に肉薄部を介して額縁形の枠体を一体に形成し、該枠体を該背板の前面に重合させることにより上面が開口したカード保持部が形成されるようにしたカード差しにおいて、背板の上縁に底丸Ｖ字状の切込を設けるとともに該切込の内周縁に面取りとなる傾斜面を形成し、該傾斜面を該切込の両側の背板の上縁に亘り滑らかな曲線をなして連なるように延設し、該背板の前面にシボ加工による微細な凹凸を形成し、さらに、該背板の背面を周縁部を残して凹窪状に形成し該背板の見かけ上の厚さを厚くすることで前記底丸Ｖ字状の切込部の厚さおよび傾斜面の幅寸法が充分に確保されるようにしたことを特徴とする。
【０００７】
【発明の実施の形態】
次に図面に従い本発明の実施の形態を説明する。図１は本発明に係るカード差しの外観斜視図、図２は正面図、図３は図２のＡ−Ａ線断面図である。このカード差しは、略長正方形状の背板１と額縁形の枠体２とその互いを結ぶ肉薄部３とが合成樹脂の型射出成形によって一体に形成されたもので、図４〜図６に示されるように、該枠体２を肉薄部３で上方に折り曲げて背板１の前面に重合させることにより上部が開口したカード保持部４が形成される。
【０００８】
背板１はその背面を両側縁部５を残して凹窪状にすることで、該背板の見かけ上の厚さｔが４ｍｍ程度の厚さを持ち得るように形成される。そして背板１の上縁に底丸Ｖ字状の切込６を設けるとともに該切込の内周縁に面取りとなる傾斜面７を形成し、該傾斜面を該切込の両側の背板の上縁に亘り滑らかな曲線をなして連なるように延設している。また、該背板の前面８にはシボ加工による微細な凹凸が形成されるように、該前面８が成形される射出成形金型の金属面を薬品により腐食させている。
【０００９】
１０ａ，１０ｂは背板１の両側縁部５に開設された係合片、１１ａ，１１ｂは枠体２の両側縁部より突設された係合孔で、該枠体２を背板１の前面に重合させたとき該各係合片の先端に形成された鉤状部が該係合孔中に係合することで背板１と枠体２との重合状態が保持される。また、１２ａ〜１２ｄは背板１の両側縁部に開設された取付孔である。また、１３ａ，１３ｂは枠体２の下縁部に突設された剛性幅板状の取付片で、該取付片は一側に係合用切欠１４が形成され、該切欠より先方で片面に凸堤１５が形成されている。なお、枠体２は重合させたときその底辺１６と両側辺１７ａ，１７ｂが該背板１の前面に密着するのに対して上辺１８は背板１の前面から離間することで上部が開口したカード保持部４が形成される。
【００１０】
図７はこのカード差しの運搬用容器への取付例を示したもので、この運搬用容器２０は合成樹脂製であってその外側面に形成された補強リブ２１の上部に該補強リブから少しの間隔を離して一対の鉤状突片２２ａ，２２ｂが形成され、前記取付片１３ａ，１３ｂを該各鉤状突片の下側に装入し係合させることで該枠体２をこの運搬用容器２０の外側面に起立させて取り付けられる。
【００１１】
こうして運搬用容器２０に取り付けられたカード差しでは、図６に示したように、収容物の名称や属性，ロット番号，バーコード等が表示されたカードａを枠体２の上部開口より差し込むことによりカード保持部４中に保持できる。そしてこの差し込み時にカードａを持った指が切込６中に入りその内周縁の傾斜面７に沿って案内されることから差し込みがスムースになされ、カードａが折れ曲がることなく保持部４中に差し込まれ作業性が改善される。また、保持部４中のカードａを取り出そうとするときは、矢印ｂにて示したように、枠体２の前面から指先で該カードａを押圧しつつ上方に持ち上げれば、背板の前面８にはシボ加工による微細な凹凸が形成されていることから該カードａは該前面８に密着することなく軽くスライドし、切込６中に入れた指で該カードａをつまみ出すことができる。なお、シボ加工による微細な凹凸は、従来の凸リブのようにカードを屈曲させないのでバーコード等を読み取り不能にするおそれがない。
【００１２】
また、図８に示した実施形態は、図１に示した実施形態における傾斜面７を切込６の底部にてさらに幅広なるように形成したもので、このように傾斜面７を幅広に形成することによっては、カード差し込み時における指先の案内をより確たるものにできる。
【００１３】
また、背板１の背面を凹窪状に形成して該背板の見かけ上の厚さを厚くすることで、カードａが運搬用容器２０の外側面からその厚さ分だけ充分に離間して保持されるとともに、切込６部の厚さおよび傾斜面７の幅寸法を充分に確保することができようになるので、カードａを抜き差しするに際してその指先が運搬用容器の外側面に当たり難くなり、カードの差し込みおよび取り出しを一層容易になし得る。
【００１４】
【発明の効果】
このように本発明のカード差しは、背板の下縁に肉薄部を介して額縁形の枠体を一体に形成し、該枠体を該背板の前面に重合させることにより上面が開口したカード保持部が形成されるようにしたカード差しにおいて、背板の上縁に底丸Ｖ字状の切込を設けるとともに該切込の内周縁に面取りとなる傾斜面を形成し、該傾斜面を該切込の両側の背板の上縁に亘り滑らかな曲線をなして連なるように延設してなるので、カードを容易に正しく差し込み得るようにするとともに、該背板の前面にはシボ加工による微細な凹凸を形成することにより、取り出しも容易にする効果がある。
【図面の簡単な説明】
【図１】本発明の実施形態を示したカード差しの斜視図。
【図２】図１の正面図。
【図３】図２のＡ−Ａ線断面図。
【図４】本発明の実施形態を示したカード差しの組立状態の斜視図。
【図５】図４の正面図。
【図６】図５のＢ−Ｂ線断面図。
【図７】本発明の実施形態を示したカード差しの使用状態の斜視図。
【図８】本発明の他の実施形態を示したカード差しの正面図。
【符号の説明】
ａ      カード
１      背板
２      枠体
３      肉薄部
４      カード保持部
５      周縁部
６      切込
７      傾斜面
８      前面
１０ａ，１０ｂ  係合片
１１ａ，１１ｂ  係合孔
１３ａ，１３ｂ  取付片
【図１】
0003540282.tif 000002
【図２】
0003540282.tif 000003
【図３】
0003540282.tif 000004
【図４】
0003540282.tif 000005
【図５】
0003540282.tif 000006
【図６】
0003540282.tif 000007
【図７】
0003540282.tif 000008
【図８】
0003540282.tif 000009